(57)【要約】      （修正有）【課題】カレンダ機能を持たない簡単な構成の歩数計を用いて、歩行データの日付管理を正確に行う。【解決手段】カレンダ機能を持たない歩数計は計測した１日分の歩行データを保存した後ホスト装置に送信する。ホスト装置の処理部４０８は、第１通信部４０１を介して、歩数計から歩行データおよび歩数計がホスト装置に接続した接続時刻を受信して各々、歩行データ記憶部４０６、接続時刻記憶部４０５に記憶し、前記接続時刻、歩数計歩行データ保存時刻記憶部４０７に記憶した保存時刻及び処理部４０８が前記歩行データの基準日を判定する処理時刻に基づいて歩数計が歩行データの基準日を判定して歩行データの日にちを管理する。【選択図】図４
2010165221.tif 000002
【特許請求の範囲】
【請求項１】
歩行データを計測する計測手段と、記憶手段と、予め定めた保存時刻に前記歩行データを前記記憶手段に保存する保存手段と、歩行データ処理装置に接続して前記記憶手段に記憶した歩行データを送信する第１通信手段を有する歩数計と、
前記歩数計と接続して前記歩行データを受信する前記第２通信手段と、前記歩行データの前記記憶手段への保存時刻、前記歩数計と接続した時刻及び前記歩行データの基準日を判定する処理時刻に基づいて前記歩行データの基準日を判定する判定手段を有する歩行データ処理装置とを備えて成ることを特徴とする歩数計システム。
【請求項２】
前記判定手段は、前記接続時刻が前記処理時刻より前の場合、前記処理時刻が前記保存時刻より後のとき及び前記処理時刻が前記保存時刻より前で前記接続時刻が前記保存時刻より前のときには前記歩行データを今日のデータと判定すると共に、前記処理時刻が前記保存時刻より前で前記接続時刻が前記保存時刻より後のときには前記歩行データを明日のデータと判定することを特徴とする請求項１記載の歩数計システム。
【請求項３】
前記判定手段は、前記接続時刻が前記処理時刻より後の場合、前記処理時刻が前記保存時刻より後で前記接続時刻が前記保存時刻より前のときは前記歩行データを昨日のデータと判定すると共に、前記処理時刻が前記保存時刻より後で前記接続時刻が前記保存時刻より後のとき及び前記処理時刻が前記保存時刻より前のときは前記歩行データを今日のデータと判定することを特徴とする請求項1又は２記載の歩数計システム。
【請求項４】
前記保存手段は、前記第１通信手段が前記第２通信手段と接続している間は、前記歩行データの保存処理を行なわず、接続終了後に保存処理を行うことを特徴とする請求項１乃至３のいずれか一に記載の歩数計システム。
【請求項５】
前記歩行データ処理装置の基準時刻と前記歩数計の内部時刻間のズレ量を算出するズレ量算出手段と、
前記ズレ量に応じた所定のメッセージを表示する表示手段とを備えて成ることを特徴とする請求項１乃至４のいずれか一に記載の歩数計システム。
【請求項６】
前記表示手段は、前記ズレ量が所定値以上のとき前記歩数計の時刻修正を促す表示を行うことを特徴とする請求項５記載の歩数計システム。
【請求項７】
前記ズレ量に応じて前記歩行データの通信を制限する制限手段を備えて成ることを特徴とする請求項５又は６記載の歩数計システム。
【請求項８】
前記ズレ量が所定未満のとき、前記歩数計の内部時刻を補正する補正手段を備えて成ることを特徴とする請求項５乃至７のいずれか一に記載の歩数計システム。
【請求項９】
歩行データを計測する計測手段と、記憶手段と、予め定めた保存時刻に前記歩行データを前記記憶手段に保存する保存手段と、外部機器に接続して前記記憶手段に記憶した歩行データを送信する通信手段とを有し、
前記保存手段は、前記通信手段が前記外部機器に接続している間は、前記歩行データの保存処理を行なわず、接続終了後に保存処理を行うことを特徴とする歩数計。
【発明の詳細な説明】
【技術分野】
【０００１】
本発明は、歩行データを計測して送信する歩数計と、前記歩数計から受信した歩行データの管理等の処理を行う歩行データ処理装置とを備えた歩数計システム、及び、歩数計に関する。
【背景技術】
【０００２】
従来から、使用者の腕や腰に装着して、あるいは使用者が携帯するバッグ等に収納して使用し、前記使用者の歩数等の歩行データを計測する歩数計が開発されている。
特許文献１には、計測した歩行データを保存して情報処理装置に送信し、前記情報処理装置によって前記歩行データについての各種処理を行うようにしたシステムが開示されている。
【０００３】
上記歩数計は装着者の歩行に関する歩行データを計測して保存する機能として、一定時間毎（一時間や一日）の歩行データを集計してひとつのまとまりとして取り扱うものが普及しており、保存する歩行データのまとまりには、計測したときの日付や時刻データ（年月日時分）を関連付けて管理する機能（カレンダ機能）を歩数計に持たせることにより、情報処理装置に歩行データを送信した場合に情報処理装置側で日付や時刻データを参照することで、いつの時点の計測データかを判定し歩行データを管理することが一般的である。
【０００４】
歩数計に求められる商品性は、小型／低価格／操作容易性である。前述したシステムでは、歩数計は年月日によって歩行データの日付を管理するカレンダ機能が必須となるいるため、日付管理のためのより大きなメモリ容量、より大きなサイズの表示手段あるいは複雑なボタン操作が必要となったり、またはボタン操作を簡略化するためにボタン数が増加してしまう。
【０００５】
仮に年月日による日付データ管理機能を省いた通信機能つき歩数計を構成するとした場合、保存される歩行データは、歩数計内部の時刻情報に基づいて所定の時刻（深夜０時など）に一日分のデータをまとめて保存するが、このデータを情報処理装置に送信して情報処理装置側で歩行データの計測年月日を判定する場合は、歩数計の内部時刻と情報処理装置が管理している基準時刻とのズレによって、情報処理装置が受信した歩行データがいつの日付の歩行データから判別できない場合がある。
【先行技術文献】
【特許文献】
【０００６】
【特許文献１】特開２００８−２７６５８１号公報
【発明の概要】
【発明が解決しようとする課題】
【０００７】
本発明は、カレンダ機能を持たない簡単な構成の歩数計を用いて、歩行データの日付管理を正確に行うことを課題としている。
【課題を解決するための手段】
【０００８】
本発明によれば、歩行データを計測する計測手段と、記憶手段と、予め定めた保存時刻に前記歩行データを前記記憶手段に保存する保存手段と、歩行データ処理装置に接続して前記記憶手段に記憶した歩行データを送信する第１通信手段を有する歩数計と、
前記歩数計と接続して前記歩行データを受信する前記第２通信手段と、前記歩行データの前記記憶手段への保存時刻、前記歩数計と接続した時刻及び前記歩行データの基準日を判定する処理時刻に基づいて前記歩行データの基準日を判定する判定手段を有する歩行データ処理装置とを備えて成ることを特徴とする歩数計システムが提供される。
【０００９】
歩数計側では、計測手段は歩行データを計測し、保存手段は予め定めた保存時刻に前記歩行データを記憶手段に保存し、第１通信手段は歩行データ処理装置に接続して前記記憶手段に記憶した歩行データを送信する。歩行データ処理装置側では、第２通信手段は前記歩数計と接続して前記歩行データを受信し、判定手段は前記歩行データの前記記憶手段への保存時刻、前記歩数計と接続した時刻及び前記歩行データの基準日を判定する処理時刻に基づいて前記歩行データの基準日を判定する。
【００１０】
ここで、前記判定手段は、前記接続時刻が前記処理時刻より前の場合、前記処理時刻が前記保存時刻より後のとき及び前記処理時刻が前記保存時刻より前で前記接続時刻が前記保存時刻より前のときには前記歩行データを今日のデータと判定すると共に、前記処理時刻が前記保存時刻より前で前記接続時刻が前記保存時刻より後のときには前記歩行データを明日のデータと判定するように構成してもよい。
また、前記判定手段は、前記接続時刻が前記処理時刻より後の場合、前記処理時刻が前記保存時刻より後で前記接続時刻が前記保存時刻より前のときは前記歩行データを昨日のデータと判定すると共に、前記処理時刻が前記保存時刻より前で前記接続時刻が前記保存時刻より後のとき及び前記処理時刻が前記保存時刻より前のときは前記歩行データを今日のデータと判定するように構成してもよい。
【００１１】
また、前記保存手段は、前記第１通信手段が前記第２通信手段と接続している間は、前記歩行データの保存処理を行なわず、接続終了後に保存処理を行うように構成してもよい。
また、前記歩行データ処理装置の基準時刻と前記歩数計の内部時刻間のズレ量を算出するズレ量算出手段と、前記ズレ量に応じた所定のメッセージを表示する表示手段とを備えて成るように構成してもよい。
【００１２】
また、前記表示手段は、前記ズレ量が所定値以上のとき前記歩数計の時刻修正を促す表示を行うように構成してもよい。
また、前記ズレ量に応じて前記歩行データの通信を制限する制限手段を備えて成るように構成してもよい。
また、前記ズレ量が前記所定値未満のとき、前記歩数計の内部時刻を補正する補正手段を備えて成るように構成してもよい。
【００１３】
また、本発明によれば、歩行データを計測する計測手段と、記憶手段と、予め定めた保存時刻に前記歩行データを前記記憶手段に保存する保存手段と、外部機器に接続して前記記憶手段に記憶した歩行データを送信する通信手段とを有し、前記保存手段は、前記通信手段が前記外部機器に接続している間は、前記歩行データの保存処理を行なわず、接続終了後に保存処理を行うことを特徴とする歩数計が提供される。
【００１４】
計測手段は歩行データを計測し、保存手段は予め定めた保存時刻に前記歩行データを記憶手段に保存し、通信手段は外部機器に接続して前記記憶手段に記憶した歩行データを送信する。このとき、前記保存手段は、前記通信手段が前記外部機器に接続している間は、前記歩行データの保存処理を行なわず、接続終了後に保存処理を行う。
【発明の効果】
【００１５】
本発明によれば、カレンダ機能を持たない簡単な構成の歩数計を用いて、歩行データの日付管理を正確に行うことが可能になる。
【図面の簡単な説明】
【００１６】
【図１】本発明の実施の形態に係る歩数計システムのブロック図である。
【図２】本発明の他の実施の形態に係る歩数計システムのブロック図である。
【図３】本発明の実施の形態に係る歩数計のブロック図である。
【図４】本発明の実施の形態に係るホスト装置のブロック図である。
【図５】本発明の実施の形態において保存した歩行データを示す図である。
【図６】本発明の実施の形態に係る歩数計システムの説明図である。
【図７】本発明の実施の形態に係る歩数計システムの説明図である。
【図８】本発明の実施の形態に係る歩数計システムの動作を説明する表である。
【図９】本発明の実施の形態に係る歩数計のフローチャートである。
【図１０】本発明の実施の形態に係る歩数計のフローチャートである。
【図１１】本発明の実施の形態に係る歩数計のフローチャートである。
【図１２】本発明の実施の形態に係るホスト装置のフローチャートである。
【図１３】本発明の実施の形態に係るホスト装置のフローチャートである。
【図１４】本発明の実施の形態に係るホスト装置のフローチャートである。
【図１５】本発明の実施の形態に係るホスト装置のフローチャートである。
【発明を実施するための形態】
【００１７】
以下、本発明の実施の形態に係る歩数計システム及び歩数計について説明する。尚、各図において、同一部分には同一符号を付している。
図１は、本発明の実施の形態に係る歩数計システムのブロック図である。
図１において、歩数計システムは、歩行を検出して歩数等の歩行データを計測する歩数計１０１、歩行データ処理装置を構成するホスト装置１０２、インターネット等のネットワーク１０３、ネットワーク１０３を介してホスト装置１０２に接続される時刻サーバ１０４を備えている。
ホスト装置１０２は、コンピュータによって構成されており、歩数計１０１から受信した歩行データの基準日（例えば歩行データの測定日）の判定処理等を行う歩行データ処理装置を構成している。時刻サーバは正しい時刻（基準時刻）を計時し、該基準時刻を提供するサーバである。
【００１８】
図２は、本発明の他の実施の形態に係る歩数計システムのブロック図である。
図２の歩数計システムでは、中継装置２０１を介して歩数計１０１をネットワーク１０３に接続すると共に、ホスト装置１０２及び時刻サーバ１０４をネットワーク１０３に接続している。これにより、歩数計１０１はホスト装置１０２と接続され又、ホスト装置１０２は時刻サーバ１０４に接続される。
【００１９】
図３は歩数計１０１のブロック図である。図３において、歩数計１０１は、使用者の歩行を検出して対応する歩行検出信号を出力する歩行状態検出部３０１、歩数計の内部時刻を計時する時刻カウント部３０２、歩数等の歩行データを記憶する歩行データ記憶部３０３、ホスト装置１０２に接続した接続時刻を記憶する接続時刻記憶部３０４、歩行状態検出部３０１からの歩行検出信号に基づく歩数算出処理等の各種処理を行う処理部３０５、ホスト装置１０２に接続してデータ送受信等の通信を行う通信部３０６、表示部３０７、外部操作可能な入力部３０８を備えている。
通信部３０６は、図１の例の場合には歩数計１０１を直接ホスト装置１０２に接続するように機能し、又、図２の例の場合には歩数計１０１を中継装置２０１及びネットワーク１０３を介してホスト装置１０２に接続するように機能する。
【００２０】
ここで、歩行状態検出部３０１は歩数等の歩行データを計測する計測手段を構成し、歩行データ記憶部３０３及び接続時刻記憶部３０４は第１記憶手段を構成している。
処理部３０５は予め定めた保存時刻に前記歩行データを前記記憶手段に保存する保存手段を構成している。また、処理部３０５及び通信部３０６はホスト装置１０２（歩行データ処理装置）の第２通信手段に接続して前記記憶手段に記憶した歩行データを送信する第１通信手段を構成している。また、処理部３０５は、ホスト装置１０２の基準時刻と歩数計１０１の内部時刻間のズレ量が所定以上のとき、時刻カウント部３０２が計時している歩数計内部時刻を補正する補正手段を構成している。表示部３０７は表示手段を構成している。前記保存手段は、前記第１通信手段が前記第２通信手段と接続している間は、前記歩行データの保存処理を行なわず、接続終了後に保存処理を行うことができる。
【００２１】
図４はホスト装置１０２のブロック図である。図４において、ホスト装置１０２は、歩数計１０１に接続する第１通信部４０１、歩数計１０１の内部時刻と同一時刻を計時する歩数計時刻カウント部４０２、時刻サーバ１０４から取得した基準時刻と同じ時刻を計時する基準時刻カウント部４０３、前記ズレ量を記憶する所定ズレ量記憶部４０４、歩数計１０１とホスト装置１０２とが接続した接続時刻を記憶する接続時刻記憶部４０５、歩数等の歩行データを記憶する歩行データ記憶部４０６、歩数計１０１が歩行データを保存処理する保存時刻を予め記憶した歩数計歩行データ保存時刻記憶部４０７、歩行データの基準日判定等の処理を行う処理部４０８、ネットワーク１０３経由で時刻サーバ１０４と接続して基準時刻を取得する第２通信部４０９、表示部４１０、キーボード等によって構成され外部操作可能な入力部４１１を備えている。
【００２２】
ここで、第１通信部４０１及び第２通信部４０９は第２通信手段を構成し、第２通信手段は歩数計１０１と接続して前記歩行データを受信することができる。処理部４０８は前記保存時刻、前記接続時刻及び前記歩数計から受信した歩行データの基準日を判定処理する処理時刻に基づいて前記歩行データの基準日（本実施の形態では歩行データの保存日）を判定する判定手段を構成している。また、処理部４０８は、ホスト装置１０２の基準時刻と歩数計１０１の内部時刻間のズレ量を算出するズレ量算出手段を構成している。また、処理部４０８は、前記ズレ量に応じて前記歩行データの通信を制限する制限手段を構成している。所定ズレ量記憶部４０４、接続時刻記憶部４０５、歩行データ記憶部４０６、歩数計歩行データ保存時刻記憶部４０７は第２記憶手段を構成している。表示部４１０は表示手段を構成している。
【００２３】
前記判定手段は、前記接続時刻が前記処理時刻より前の場合、前記処理時刻が保存時刻より後のとき及び前記処理時刻が前記保存時刻より前で前記接続時刻が前記保存時刻より前のときには前記歩行データを今日のデータと判定すると共に、前記処理時刻が前記保存時刻より前で前記接続時刻が前記保存時刻より後のときには前記歩行データを明日のデータと判定することができる。また前記判定手段は、前記接続時刻が前記処理時刻より後の場合、前記処理時刻が保存時刻より後で前記接続時刻が前記保存時刻より前のときは前記歩行データを昨日のデータと判定すると共に、前記処理時刻が前記保存時刻より後で前記接続時刻が前記保存時刻より後のとき及び前記処理時刻が前記保存時刻より前のときは前記歩行データを今日のデータと判定することができる。表示手段は、前記ズレ量に応じて所定のメッセージを表示することができる。例えば表示手段は、前記ズレ量が所定値以上のとき前記歩数計の時刻修正を促す表示を行うことができる。尚、表示手段は歩行データ処理装置の表示部でも、歩数計の表示部でもよい。
【００２４】
図５は、歩数計１０１の歩行データ記憶部３０３に記憶された歩行データを示す図である。歩行データとして、何日前の歩行データなのかを表す項目と、当該日の０時に保存した一日分の歩行データ（本実施の形態では歩数）が対応付けて記憶される。
図６は、歩数計１０１とホスト装置１０２の接続時刻が、歩数計１０１からの歩行データについてのホスト装置１０２の基準日判定処理時刻（基準日判定処理を行う現在時刻を基準時刻で表した時刻である。）よりも前の場合（進んでいる場合）に、ホスト装置１０２の処理部４０８が行う歩行データの基準日判定処理を示す説明図である。
【００２５】
図６に示すように、処理部４０８は、前記接続時刻が前記処理時刻より前の場合、前記処理時刻が歩数計１０１の保存時刻より後のとき及び前記処理時刻が前記保存時刻より前で前記接続時刻が前記保存時刻より前のときには前記歩行データを今日のデータと判定する（図６（ａ）、（ｂ））と共に前記処理時刻が前記保存時刻より前で前記接続時刻が前記保存時刻より後のときには前記歩行データを明日のデータと判定する（図６（ｃ））。処理部４０８は前記の如く歩行データの基準日を判定して、歩行データに対応付けて歩行データ記憶部４０６に記憶する。
図７は、歩数計１０１とホスト装置１０２の接続時刻が、歩数計１０１からの歩行データについてのホスト装置１０２の基準日判定処理時刻よりも後の場合（遅れている場合）に、ホスト装置１０２の処理部４０８が行う歩行データの基準日判定処理を示す説明図である。
【００２６】
図７に示すように、処理部４０８は、前記接続時刻が前記処理時刻より後の場合、前記接続時刻が保存時刻より前のときは前記歩行データを昨日のデータと判定する（図７（ｄ））と共に前記処理時刻が前記保存時刻より後で前記接続時刻が前記保存時刻より後のとき及び前記処理時刻が前記保存時刻より前のときは前記歩行データを今日のデータと判定する（図７（ｅ）、（ｆ））。処理部４０８は前記の如く歩行データの基準日を判定して、歩行データに対応付けて歩行データ記憶部４０６に記憶する。
図８に、図６及び図７に示した基準日判定処理をまとめた表を示す。
図９〜図１１は歩数計１０１の処理を示すフローチャートで、図１２〜図１５はホスト装置１０２の処理を示すフローチャートであり、各々、主として処理部３０５、４０８の処理を示している。
【００２７】
以下、図１〜図１５を用いて、本発明の実施の形態の動作を説明する。
歩数計１０１の歩行状態検出部３０１は使用者の歩行を検出する毎に対応する歩行検出信号を出力する。
処理部３０５は、歩行状態検出信号を検出すると（図９のステップＳ９０１）、処理部３０５内の一時保存領域（図示せず）に保存している累積歩数に１歩加算し現時点の累積歩数を算出して前記一時保存領域に保存すると共に、累積歩数を前記歩数に更新して表示部３０７に表示した後（ステップＳ９０５）、歩行データ保存時刻時刻が到来したか否かを判断する（ステップＳ９０２）。歩行データ保存時刻は予め定めた時刻であり、本実施の形態では午前０時としている。
【００２８】
処理部３０５は処理ステップＳ９０１において歩行状態検出信号を検出しない場合には直ちに処理ステップＳ９０２に移行する。処理部３０５は、歩行データ保存時刻が到来したと判断すると（ステップＳ９０２）、歩数計１０１とホスト装置１０２が現在接続中か否か（具体的には通信部３０６と第１通信部４０１が接続中か否か）を判断する（ステップＳ９０６）。
【００２９】
処理部３０５は、現在接続中と判断すると（ステップＳ９０６）、現時点では歩行データの歩行データ記憶部３０３への保存処理は行わずに、接続終了後に保存処理を行う予約である歩行データ保存予約に設定した後（ステップＳ９０９）、ホスト装置１０２からの通信処理要求の有無を判断する（ステップＳ９０４）。
処理部３０５は、歩行データ保存時刻が到来し且つ現在接続中ではないと判断すると（ステップＳ９０２、Ｓ９０６）、処理部３０５内の一時保存領域に保存している歩数等の歩行データを歩行データ記憶部３０３に保存し（ステップＳ９０７）、歩行データ保存予約が設定されていれば当該予約を解除して処理ステップＳ９０４に移行する（ステップＳ９０８）。
【００３０】
処理部３０５は処理ステップＳ９０２において歩行データ保存時刻時刻が到来していないと判断した場合、歩行データ保存予約状態に設定されている場合には処理ステップＳ９０７に移行し、歩行データ保存予約状態に設定されていない場合には処理ステップＳ９０４に移行する（ステップＳ９０３）。
処理部３０５は処理ステップＳ９０４において、ホスト装置１０２からの通信処理要求無しと判断すると処理ステップＳ９０１に戻り、ホスト装置１０２からの通信処理要求有りと判断すると、現在ホスト装置１０２と非接続状態か否かを判断する（図１０のステップＳ９１０）。
【００３１】
処理部３０５は処理ステップＳ９１０において、現在ホスト装置１０２と非接続状態にあると判断すると、ホスト装置１０２からの通信処理要求に応答してホスト装置１０２に接続し（ステップＳ９１１）、ホスト装置１０２と接続した時刻を接続時刻記憶部３０４に記憶した後、処理ステップＳ９０１に戻る（ステップＳ９１２）。
処理部３０５は処理ステップＳ９１０において、現在ホスト１０２と非接続状態ではない、即ち、現在接続状態と判断すると、ホスト装置１０２から時刻データ送信要求を受信したか否かを判断する（図１１のステップＳ９１３）。
【００３２】
処理部３０５は処理ステップＳ９１３においてホスト装置１０２から時刻データ送信要求を受信したと判断すると、時刻カウント部３０２が計時している歩数計１０１内部の現在時刻を時刻データとしてホスト１０２に送信した後（ステップＳ９１９）、時刻データ補正要求を受信したか否かを判断する（ステップＳ９１４）。処理部３０５は処理ステップＳ９１３においてホスト装置１０２から時刻データ送信要求を受信していないと判断すると直ちに処理ステップＳ９１４に移行する。
【００３３】
処理部３０５は処理ステップＳ９１４においてホスト装置１０２から時刻データ補正要求を受信したと判断すると、時刻カウント部３０２が計時している歩数計１０１内部の現在時刻を、ホスト装置１０２から時刻データ補正要求とともに受信した基準時刻に修正した後（ステップＳ９２０）、ホスト装置１０２から歩行データ送信要求を受信したか否かを判断する（ステップＳ９１５）。処理部３０５は処理ステップＳ９１４においてホスト装置１０２から時刻データ補正要求を受信していないと判断すると直ちに処理ステップＳ９１５に移行する。
【００３４】
処理部３０５は処理ステップＳ９１５においてホスト装置１０２から歩行データ送信要求を受信したと判断すると、歩行データ記憶部３０３に記憶している最新の歩行データ（図５参照）をホスト装置１０２に送信した後（ステップＳ９２１）、ホスト装置１０２から接続時刻データ送信要求を受信したか否かを判断する（ステップＳ９１６）。処理部３０５は処理ステップＳ９１５においてホスト装置１０２から歩行データ送信要求を受信していないと判断すると直ちに処理ステップＳ９１６に移行する。
【００３５】
処理部３０５は処理ステップＳ９１６においてホスト装置１０２から接続時刻データ送信要求を受信したと判断すると、接続時刻記憶部３０４に記憶している接続時刻データをホスト装置１０２に送信した後（ステップＳ９２２）、ホスト装置１０２から通信終了要求を受信したか否かを判断する（ステップＳ９１７）。処理部３０５は処理ステップＳ９１６においてホスト装置１０２から接続時刻データ送信要求を受信していないと判断すると直ちに処理ステップＳ９１７に移行する。
【００３６】
処理部３０５は処理ステップＳ９１７においてホスト装置１０２から通信終了要求を受信したと判断すると、通信部３０６を非通信状態に制御してホスト装置１０２との接続を非通信状態に設定した後（ステップＳ９２３）、処理ステップＳ９０１に戻る。
処理部３０５は処理ステップＳ９１７においてホスト装置１０２から通信終了要求を受信していないと判断した場合、所定の接続時間がタイムアウトしたと判断したときには処理ステップＳ８２３に移行し、所定の接続時間がタイムアウトしていないと判断したときには処理ステップＳ９０１に戻る（ステップＳ９１８）。
【００３７】
一方、ホスト装置１０２では、処理部４０８は、第１通信部４０１を介して歩数計１０１に通信接続要求を送信した後（図１２のステップＳ１１１）、歩数計１０１と通信接続状態になっていない場合、即ち通信接続完了状態になっていないと判断した場合（ステップＳ１１２）、所定の接続完了待ちタイムアウトになっていないと判断したときには処理ステップＳ１１２に戻り、所定の接続完了待ちタイムアウトになっていると判断したときには処理を終了する(ステップＳ１１３）。
【００３８】
処理部４０８は、処理ステップＳ１１２において歩数計１０１と通信接続状態になっていると判断した場合、第２通信部４０９を介して時刻サーバ１０４から、現在の正確な時刻である基準時刻を取得し、基準時刻カウント部４０３の計時時刻を前記基準時刻に合わせる（ステップＳ１１４）。
次に、処理部４０８は、歩数計１０１に時刻データ送信要求を送信し（ステップＳ１１５）、歩数計１０１から歩数計１０１内部の時刻データ（歩数計時刻）を取得すると、歩数計時刻カウント部４０２の計時時刻を前記歩数計時刻に合わせて計時動作を行う（ステップＳ１１６）。
【００３９】
次に、処理部４０８は、前記歩数計時刻と基準時刻のズレ量を算出し（ステップＳ１１７）、前記ズレ量が所定量以下でない場合には（ステップＳ１１８）、表示部４１０に所定メッセージを表示した後（ステップＳ１１９）、第1通信部４０１を介して歩数計１０１に通信終了要求を送信して処理を終了し（ステップＳ１２０）、ズレ量が所定量以下である場合には後述するように歩行データの送受信を行うとともに歩数計の内部時刻を補正するように処理する。
【００４０】
前記所定のメッセージとしては、前記ズレ量が所定量以上であることに関連する表示であり、例えば、使用者に対して歩数計１０１の時刻修正を促すメッセージがある。歩数計１０１の時刻修正を促す表示場合、「歩数計の時刻を修正してください」と文字表示するようにしてもよい。また、処理部４０８は、歩数計１０１に対して前記所定メッセージを表示するように促す信号を送信し、歩数計１０１の処理部３０５がこれに応答して表示部３０７に前記所定メッセージを表示するように構成してもよい。
【００４１】
また、前記ズレ量の所定量は、（歩数計１０１の歩行データ保存可能日数）×（歩数計１０１の一日分の最大時刻誤差以上且つ１２時間以下の値（進み又は遅れ））の範囲内となるように設定される。前記ズレ量を超えた場合に前記のような時刻修正を促すメッセージを表示するため、歩数計１０１がもともと有している計時誤差以内の量を前記ズレ量として設定してしまうと、前記メッセージ表示が頻発してしまう。また、日付情報を持たない場合のズレ量の最大値は１２時間である。したがって、前記範囲であれば、使用者が意図的に歩数計の内部時刻をずらしている場合（例えば５分進めている等）を考慮して決定することも可能である。
【００４２】
処理部４０８は、処理ステップＳ１１８において前記ズレ量が所定量以下の場合、第１通信部４０１を介して歩数計１０１に対して、歩数計１０１がホスト装置１０２に接続した接続時刻の送信を要求するための接続時刻送信要求を送信し（図１３のステップＳ１２１）、歩数計１０１から接続時刻記憶部３０４に記憶した接続時刻を取得して接続時刻記憶部４０５に保存する（ステップＳ１２２）。
【００４３】
次に処理部４０８は、歩数計１０１に対して歩行データの送信を要求するための歩行データ送信要求を送信し（ステップＳ１２３）、歩数計１０１から歩行データ記憶部３０３に記憶した最新の歩行データを取得する(ステップＳ１２４）。
処理部４０８は、処理時刻より接続時刻が前（進み）の場合（ステップＳ１２５）、処理時刻が歩数計歩行データ保存時刻記憶部４０７に記憶した保存時刻より後のときは（ステップＳ１２６）、受信した歩行データの基準日は基準時刻の今日と判断して（ステップＳ１２７）、歩行データを基準日とともに歩行データ記憶部４０６に保存する（ステップＳ１２８）。
【００４４】
処理部４０８は、処理ステップＳ１２６において処理時刻が保存時刻より後でないと判断した場合、即ち、処理時刻が保存時刻より前の場合、接続時刻が保存時刻より前のときは（ステップＳ１２９）、受信した歩行データの基準日は基準時刻の今日と判断して（ステップＳ１３０）、歩行データを基準日とともに歩行データ記憶部４０６に保存する（ステップＳ１２８）。
処理部４０８は、処理ステップＳ１２９において接続時刻が保存時刻より前でない場合、即ち、接続時刻が保存時刻以降の場合、受信した歩行データの基準日は基準時刻の明日と判断して（ステップＳ１３１）、歩行データを基準日とともに歩行データ記憶部４０６に保存する（ステップＳ１２８）。
【００４５】
処理部４０８は、処理ステップＳ１２５において処理時刻より接続時刻が前（進み）でないと判断した場合、即ち、処理時刻より接続時刻が後（遅れ）の場合、処理時刻が保存時刻より後で、接続時刻が保存時刻より前と判断したときは（図１４のステップＳ１３２、Ｓ１３３）、受信した歩行データの基準日は基準時刻の昨日と判断して（ステップＳ１３４）、歩行データを基準日とともに歩行データ記憶部４０６に保存する（ステップＳ１３５）。
処理部４０８は、処理ステップＳ１３３において接続時刻が保存時刻より前ではないと判断した場合、即ち、接続時刻が保存時刻より後の場合、受信した歩行データの基準日は基準時刻の今日と判断して（ステップＳ１３６）、歩行データを基準日とともに歩行データ記憶部４０６に保存する（ステップＳ１３５）。
【００４６】
処理部４０８は、処理ステップＳ１３２において処理時刻が保存時刻より後ではないと判断した場合、即ち、処理時刻が保存時刻より前の場合、受信した歩行データの基準日は基準時刻の今日と判断して（ステップＳ１３７）、歩行データを基準日とともに歩行データ記憶部４０６に保存する（ステップＳ１３５）。
処理部４０８は、処理ステップＳ１３５において歩行データを基準日とともに歩行データ記憶部４０６に保存した後、歩数計１０１に対して、歩数計内部時刻の修正を要求するための時刻補正要求を送信し（図１５のステップＳ１３８）、その後、歩数計１０１に対して、通信終了を要求するための通信終了要求を送信する（ステップＳ１３９）。
【００４７】
前記時刻補正要求には、時刻補正の要求とともに基準時刻カウント部４０３が計時している基準時刻の情報が含まれており、歩数計は前記補正要求を受信して、これとともに受け取った基準時刻に自己の内部時刻を合わせる。また、歩数計１０１は、前記通信終了要求に応答してホスト装置１０２との接続を遮断して通信を終了した後、保存予約した歩行データがある場合には歩行データを歩行データ記憶部３０３に保存する（ステップＳ９０７）。
【００４８】
以上述べたように本発明の実施の形態によれば、カレンダ機能を持たない歩数計１０１は計測した所定期間（本実施の形態では１日）分の歩行データを予め定めた保存時刻（本実施の形態では午前０時）に保存した後、歩行データ、歩数計１０１がホスト装置１０２に接続した接続時刻をホスト装置１０２に送信する。ホスト装置１０２の処理部４０８は、第１通信部４０１を介して前記歩行データ、接続時刻を受信して各々、歩行データ記憶部４０６、接続時刻記憶部４０５に記憶し、前記接続時刻、歩数計歩行データ保存時刻記憶部４０７に記憶した保存時刻及び歩行データの基準日判定処理時刻（現在時刻）に基づいて前記歩行データの基準日（例えば、歩数計１０１が歩行データを保存した日にち）を判定して歩行データを管理するようにしているため、カレンダ機能を持たない簡単な構成の歩数計を用いて、歩行データの日付管理を正確に行うことが可能になる。
【００４９】
また、歩数計１０１はカレンダ機能を持たないため、構成が簡単になり、操作も簡単になる。
また、歩数計１０１の時刻をホスト装置１０２側で持つ必要がないため、構成が簡単になる。
また、歩数計１０１の処理部３０５は外部機器（例えばホスト装置）に接続している間は、歩行データの保存処理を行わなわず、接続終了後に保存処理を行うようにしているた、め、歩行データを正しく保存することが可能になる。
【産業上の利用可能性】
【００５０】
通信機能を有するとともにカレンダ機能を有しない歩数計と歩行データ管理装置とを備えた歩数計システムに適用可能である。
また、通信機能を有するがカレンダ機能を有しない歩数計であれば、腕や腰等の使用者の身体に装着して使用する歩数計をはじめ、携帯用バッグ等に収容し携帯して使用する歩数計等、各種の歩数計に利用可能である。
【符号の説明】
【００５１】
１０１・・・歩数計１０１
１０２・・・ホスト装置
１０３・・・ネットワーク
１０４・・・時刻サーバ
２０１・・・中継装置
３０１・・・歩行状態検出部
３０２・・・時刻カウント部
３０３・・・歩行データ記憶部
３０４・・・接続時刻記憶部
３０５・・・処理部
３０６・・・通信部
３０７・・・表示部
３０８・・・入力部
４０１・・・第１通信部４０１
４０２・・・歩数計時刻カウント部
４０３・・・基準時刻カウント部
４０４・・・所定ズレ量記憶部
４０５・・・接続時刻記憶部
４０６・・・歩行データ記憶部
４０７・・・歩数計歩行データ保存時刻記憶部
４０８・・・処理部
４０９・・・第２通信部
４１０・・・表示部
４１１入力部
【図１】
2010165221.tif 000003
【図２】
2010165221.tif 000004
【図３】
2010165221.tif 000005
【図４】
2010165221.tif 000006
【図５】
2010165221.tif 000007
【図６】
2010165221.tif 000008
【図７】
2010165221.tif 000009
【図８】
2010165221.tif 000010
【図９】
2010165221.tif 000011
【図１０】
2010165221.tif 000012
【図１１】
2010165221.tif 000013
【図１２】
2010165221.tif 000014
【図１３】
2010165221.tif 000015
【図１４】
2010165221.tif 000016
【図１５】
2010165221.tif 000017